(57)【特許請求の範囲】
【請求項１】
コンタクト部材（２０）を設けたフレーム（２）と、
前記フレーム（２）に往復動可能に装着され、スタート位置と読取り位置との間を移動可能であり、スマートカード（５）を受けるキャリッジ（１６）と、
該フレーム（２）上に設けられ、スマートカード（５）用読取り位置に前記キャリッジをロックして、該読取り位置においては前記コンタクト部材（２０）が前記挿入されたスマートカード（５）のコンタクト（５０１）に接触するロック手段（２５）と、
該フレーム（２）上に設けられ、該スマートカード（５）が該読取り位置から手動で引き出される時に該ロック手段（２５）をロック解除し、前記キャリッジ（１６）が前記スタート位置まで戻るようにする機械的ロック解除手段（２７）と、
を備えたことを特徴とするスマートカード用コンタクト装置。
【請求項２】
前記ロック手段（２５）をロック解除する電気ロック解除手段（２６）を、前記機械的ロック解除手段に加えてさらに備えたことを特徴とする請求項１に記載のスマートカード用コンタクト装置。
【請求項３】
キャリッジ（１６）が、該コンタクト部材（２０）が後退している前記スタート位置と、該キャリッジ（１６）が該コンタクト部材（２０）と係合して該コンタクト部材（２０）を移動させ該スマートカードコンタクト（５０１）に接触させる読取り位置との間を移動可能であることを特徴とする請求項１に記載のスマートカード用コンタクト装置。
【請求項４】
前記ロック手段（２５）のロック解除は、前記キャリッジがスタート位置に戻り、前記コンタクト部材（２０）が後退した位置に戻ることを可能とするように、該キャリッジ（１６）をロック解除することを特徴とする請求項３に記載のスマートカード用コンタクト装置。
【請求項５】
前記機械的ロック解除手段（２７）が、電力供給不足のために電気ロック解除手段（２６）が不作動状態にある間、前記スマートカード（５）が該コンタクト装置（１）から抜き出せるようにすると共に、前記キャリッジが、前記スタート位置に戻ることにより該コンタクト部材（２０）がスマートカード（５）の繰り返し差込みの際に傷つかないようにしたことを特徴とする請求項２に記載のスマートカード用コンタクト装置。
【請求項６】
電気的および／または機械的カード検知手段をさらに含むことを特徴とする請求項１に記載のスマートカード用コンタクト装置。
【請求項７】
前記機械的カード検知手段（２８）が、前記スマートカード（５）の差込みによって、カード検知位置へ移動させられ、該スマートカード（５）が引き抜かれる時該カード検知位置から離脱されるようにしたことを特徴とする請求項６に記載のスマートカード用コンタクト装置。
【請求項８】
前記機械的カード検知手段（２８）および前記機械的ロック解除手段（２７）が一体的に構成されていることを特徴とする請求項６に記載のスマートカード用コンタクト装置。
【請求項９】
前記キャリッジ（１６）が、係合部材（１９）を介して、前記ロック手段（２５）および電気的ロック解除手段（２６）および／または機械的ロック解除手段（２７）と協働するようになっていることを特徴とする請求項１に記載のスマートカード用コンタクト装置。
【請求項１０】
前記係合部材（１９）が、ロックスライダーの形式であることを特徴とする請求項９に記載のスマートカード用コンタクト装置。
【請求項１１】
前記キャリッジ（１６）が、スロット（１６１）により形成された縁部（１６０）を有し、前記キャリッジ（１６）が前記読取り位置へ移動された時該縁部（１６０）がコンタクト部材（２０）と係合して該コンタクト部材（２０）を前記スマートカードコンタクト（５０１）に接触する位置へ移動させることを特徴とする請求項１に記載のスマートカード用コンタクト装置。
【請求項１２】
前記コンタクト部材（２０）のそれぞれが、直線部（２０４）と、該直線部（２０４）に対して折れ曲がっているアングル部（２０２）と、該アングル部（２０２）の端部に設けた先端部（２０３）とを有し、該アングル部（２０２）が前記キャリッジ（１６）と係合するようになっていることを特徴とする請求項２に記載のスマートカード用コンタクト装置。
【発明の詳細な説明】
【０００１】
【発明の属する技術分野】
本発明は、チップカードリーダまたはスマートカードリーダと呼ばれているスマートカード用コンタクト装置に関する。チップカードリーダは、チップカードに設けられたカードコンタクトと接触係合または接触結合することを目的としている。
【０００２】
【従来の技術】
チップカードリーダとしては、現在色々なデザインのものが既に知られているが、あるものは、読取り位置つまりチップカードリーダのコンタクト部材がカードコンタクトと接触する位置にチップカードを使用者が手で挿入してチップカードに記憶された情報を読み取るようになっている。チップカードリーダからチップカードを取り出すには、使用者がチップカードリーダから突出しているチップカードの端部を押し込むと、内部のエジェクター機構が作動してチップカードを自動的にエジェクトする。この様なチップーカードリーダはプッシュ／プッシュリーダと呼ばれ、カードを読取り位置に手で押し込み、さらにそのカードの突出端部を再度手で押すとカードは読取り位置から自動的に排出される。
【０００３】
一方、他のチップカードリーダは、チップカードを手で読取り位置に差込み、取り出す際も手で引き出すものである。その場合、移動キャリッジが設けられていてチップカードを案内するようになっているものもある。
【０００４】
【発明が解決しようとする課題】
上記チップカードリーダにはスロットが設けられており、このスロットからチップカードを読取り位置まで挿入すると、チップカードはコンタクト支持体内に取り付けられたコンタクト部材と接触する。チップカードが挿入されていない時に、人が例えばナイフをスロットに差し込むことも多々あり、チップカードリーダの構成部材、例えばコンタクト部材が傷つけられることがある。
【０００５】
また、チップカードがスロットに差し込まれていない時には、コンタクト支持体をスロット領域から回動させておくようにしたチップカードリーダも知られている。この回動にはキャリッジが使われている。また、コンタクト支持体をカバーをして同支持体が傷つくのを回避しようとしたものもある。
【０００６】
さらに、プッシュマチックリーダと呼ばれているものも知られている。プッシュマチックリーダでは、読取り位置に手で押し込まれたチップカードは、読取り後自動的に読取り位置の差込スロットから十分な長さ外に突出するもので、使用者が手で引き出せる。チップカードが読取り位置にあるときはロックされる。ロック解除は例えば読取り完了後に電気ロック解除装置で行う。この電気ロック解除装置は、電磁石を使用するもので、チップカードを読取り位置から出す時にロックレバーを電磁石で作動してチップカードロック解除を行う。
【０００７】
電源系統に故障が生じた場合に、上記チップカードリーダ、特にプッシュマチックリーダでは、コンデンサに蓄積された電荷で電気ロック解除装置が通常もう一度作動されるが、コンデンサに蓄積される電気エネルギー量はロック解除を何回も行うには十分とはいえない。
【０００８】
本発明の第一の目的は、電源供給系に故障が生じた場合およびチップカードリーダ、特にプッシュマチックリーダ内に設けられたコンデンサまたはキャパシターの電荷蓄積量が無くなった場合でもチップカードリーダからチップカードを取り出すことを許容することにある。
【０００９】
本発明の第二の目的は、電源系統に故障が生じても、読取り位置へのチップカードの連続出し入れができるチップカードリーダを提供することにある。即ち、電源系統に故障が生じても、カードを読取位置に挿入でき、また読取位置からカードを取出すことを可能とする。
【００１０】
本発明の第三の目的は、チップカードリーダのコンタクト部材（読取り用コンタクト部材）が心無い人の行為で傷つくことがないように、ロック解除時に挿入位置に移動するチップカードリーダを提供することにある。
【００１１】
【課題を解決するための手段】
本発明によれば、カードがチップカードリーダから取出される時に、例えばロック解除レバーの形式のロック解除装置が作動して、該ロック解除レバーはチップカードのロック機構を釈放するチップカードリーダが提供される。電気系統の故障の場合にも、チップカードが再び挿入されても、前記機械的ロック解除動作が読取りコンタクト部材を損傷しないように構成されている。
【００１２】
本発明によれば、チップカードリーダは、コンタクト部材を備え、これは力により移動される。チップカードリーダは、カードのためのキャリッジを備える。前記キャリッジは、コンタクト部材を受け入れるのに適したスロットを備え、該スロットは、好ましくは傾斜したコンタクト部材のアームに係合するように当接面を形成し、コンタクト部材がチップカードコンタクトに接触係合するように保護されたレスト位置からこれらを移動する。このことはキャリッジがスタート位置からキャリッジ読取り位置に移動する時に起こる。キャリッジがスタート位置に戻るときに、前記キャリッジにスプリング動作に従って前記当接面がそれらのレスト位置に移動するようにコンタクト部材を釈放し、コンタクト部材の先端はもはやチップカードリーダの挿入スロットから突出していない。
【００１３】
一般的に、本発明はコンタクト部材（読取りコンタクト）がチップカードリーダの読取り位置に配置されたチップカードのチップカードコンタクトに接触するように装着されたコンタクト部材を有するカード受入部分と、そのチップカードの読取り位置にチップカードをロックするロック装置と、チップカードを釈放し、ロック機構をロック解除するように適合した電気的なロック解除装置と、カードが手動で読取り位置から引き出されたときにカードが完全に取出されて自由になり、更に他のカードの挿入および読取りが可能となるようにロック装置をロック解除する機械的ロック解除装置とから構成されている。
【００１４】
本発明の態様に従えば、読取り位置に位置したチップカードのコンタクトに接触するように適合したコンタクト部材が装着されたカード受入部分と、前記カード受入部分に往復移動可能に装着されたキャリッジと、該キャリッジはスタート位置にカードを挿入する方向に抗して付勢されており、前記キャリッジは前記カードを付勢力に抗して挿入するときにカードの読取り位置に対応した読取り位置に移動して、前記キャリッジを直接的に又は間接的にその読取り位置にロックし、又そのカードを読取り位置にロックするのに適した装置と、電気的なロック解除信号が受信されたときにカードが好ましくはその読取り位置から移動するようにロック装置をロック解除する電気的なロック解除装置と、カードを読取り位置から手動で引き出すことによって作動される機械的なロック解除装置と、該ロック解除装置はキャリッジがそのスタート位置に戻り手動動作によってリーダの連続的な使用が可能となるようにキャリッジをそのスタート位置に戻すロック解除動作を提供する。
【００１５】
解除磁石とキャパシターとを用いた電気ロック解除装置を備えたチップカードリーダについて説明すると、電源供給が断たれた場合でもチップカードのロック解除が可能であることが望まれる。電源供給が長時間断たれた場合、キャパシターの残留エネルギーで通常一回だけロック解除作動でき、チップカードをもう一度チップカードリーダに差し込むとロックはされるが、キャパシターの電荷の無蓄積が原因で再度ロック解除されることはない。しかし、電源系統が長時間断たれた場合でも、チップカードが常時取り出せることが望ましい。
【００１６】
上記目的を達成するため、本発明のチップカードリーダには、チップカードを差し込む際チップカードが移動して通過するロック解除レバーを備えている。チップカードがロック部材またはロックスライダーを移動させ、該チップカードとロック部材の両者でキャリッジまたはカードガイド部材を移動させる。このキャリッジは、コンタクト部材、つまり読取りコンタクト部材の制御部材としても働き、カードコンタクトと接触するコンタクト部材を釈放する。読取り位置では、ロック部材またはロックレバーがロック装置全体をロックする。電源供給系に故障が生じた場合には、チップカードがチップカードリーダから引き出せるようになっている。チップカードがロック解除レバーを釈放するまてチップカードリーダはしばらくロック状態を維持した後、ロックスライドがキャリッジと共にスタート位置まで移動する。この作動を何度か繰り返すが、電源系に故障がある場合でも、チップカードを差し込む度にロックされるが、カードをチップカードリーダから引っ張り出すとロック解除も行われる。
【００１７】
【発明の実施の形態】
図１および図３は、本発明に係るチップカードリーダ１でもある、チップまたはスマートカード５用コンタクト装置の実施例を示す斜視図である。チップカードまたはスマートカードリーダ（以下チップカードリーダと称する）１は、カード受け取り部材またはフレーム２を有している。このフレームまたはカード受け取り部材２にはカード差込部３が固定されており、カード差込部３には、差込スロット４）が設けられていて、チップまたはスマートカード５を挿入することができる。差込スロット４は、差込部３を貫通してチップカードリーダ１の長手方向に延びており、挿入されたチップカード５を収納するスペースを形成している。
【００１８】
図１および図３において、チップカード５はいわゆる読取り位置にある。図１から判るように、チップカード５は略完全に差込スロット４内に差し込まれていて殆ど見えない。しかしながら、厳密には図１の符号５の位置にチップカード５が少し露出しており手で抜き取れる状態である。
【００１９】
図１によれば、印刷回路基板１３はフレーム２の上面１１に取り付けられている。印刷回路基板１３は、チップーカードリーダ１を作動する電子部品を搭載している。図１に示した実施例では、回路基板１３はフレーム２に一体のクランプフック１４で取り付けられている。フレーム２の底面は符号１２で示されている。
【００２０】
図面、特に図１から判るように、チップカード５の前端部分がカードガイド手段（キャリッジ）１６に差し込まれている。実際にはキャリッジ１６の突起１７と、キャリッジ１６を手前位置（図示せず）へ付勢するばね１８だけしか図１には示されていない。用語「前端」はチップカードの差込方向（つまり図１の左側）に延びている部分を意味する。図２および図１１にはキャリッジ１６がより詳細に示されている。
【００２１】
図１および図２はさらにロックスライド手段（係合手段）１９を示しており、その詳細は以下の通りである。
図３はフレーム２の上面１１側の僅かに異なる斜視図である。ロック装置（ロック手段）２５は、チップカード５およびキャリッジ１６をそれぞれ読取り位置、つまりチップカード５の読取り位置およびキャリッジ１６の読取り位置にロックする。電気ロック解除手段（ロック解除装置）２６は、ロック解除信号を受けてロック手段２５のロックを解除する。その結果ロック手段２５はロック解除位置へ移動される。
【００２２】
本発明によれば、機械的ロック解除手段２７が設けられている。この機械的ロック解除手段２７は、ロック解除信号を受けると、電気ロック解除手段２６とは関係なく、ロック手段（２５）をロック解除する。この信号は、カード検知手段（カード検知装置）２８から出されるが、機械的信号、つまり動作信号が好ましい。カード検知手段２８は、好ましくは、チップカード５が読取り位置、特にキャリッジ１６から引き出される時に機械的信号を出す。図示の実施例では、カード検知手段２８は、機械的ロック解除手段２７のレバー７０（図４）と一体に設けられている。
【００２３】
フレーム２について
図１ではフレーム２は上方から示されており、一方、図２、図５、図６ではフレーム２の底面１２が示されている。フレーム２の底面１２（図２参照）は横方向フレーム部を有し、同横方向フレーム部には横方向カードガイドスロット３０、３１が形成されており、チップカード５がチップカードリーダ１内に押し込まれた時そのチップカード５を収納する。フレーム２の横方向フレーム部間を下りステップ（図２参照）まで実質的に平坦なカード支持面３２が延在しているが、図５に示すようにこの下りステップから実質的に平坦な支持面３４が延在しキャリッジ１６がスタートする。支持面３４は、支持面３２に対して下方にずれている。この段部はキャリッジ１６の右端部（図２）との当接面４０を形成している。
【００２４】
図２および図５に示すように、支持面３４の近くには略中央に開口３５が設けられている。開口３５はキャリッジ１６の突起１７を収容するようになっており、キャリッジ１６に形成された支持面４４（図２）がカード支持面３２と略同一面になるようになっている。さらに、フレーム２のガイド面３４に略矩形の開口３６（図５）が設けられており、係合部材１９の一部がこの開口３６を貫通できるようになっている。また、フレーム２の横方向縁部近くには他の開口３７（図５）が設けられており、カード検知手段２８（図２）がこの開口３７を貫通できるようになっている。
【００２５】
フレーム２の開口３７（図５）の近くには、アーム３８が設けられており、チップカードリーダ１に差込まれたチップカードを保持する力を付与するようになっている。さらに、フレーム２には、キャリッジ１６およびチップカード５の読取り位置を規定するキャリッジ１６との当接面３９（図５）が形成されている。上記ステップは、既に述べたように、スタート位置を規定するキャリッジ１６との当接面４０を形成している。
【００２６】
キャリッジ１６について
図２、図６および図１１において、キャリッジ１６はカード支持面４４および複数の凹部またはスロット４５を形成しており、これらスロット４５は好ましくはキャリッジ１６の長手軸に対して傾斜している。各スロット４５は、複数のコンタクト部材２０のそれぞれに対応して設けている。コンタクト部材２０はフレーム２（図５参照）に固定されており、その先端部２０３（図１２参照）はキャリッジ１６のスロット４５に延びている。キャリッジ１６はフレーム２の横方向の壁によって長手方向に移動できるように案内される。キャリッジ１６は、フレーム２の凹部または開口３６の領域にカード当接面４６（図２参照）および凹部または開口４７を形成しており、係合部材１９のカード当接部５４（図２）がこの開口４７を貫通できるようになっている。キャリッジ１６の横方向縁部にはガイドスロット４８，４９（図６参照）が形成されている。ガイドスロット４８，４９はフレーム２のガイドスロット３０，３１のそれぞれと一致している。
【００２７】
図１１および図１２には、読取り位置にあるキャリッジ１６が示されており、このキャリッジ１６はカード当接部５４の有効当接面５４ａおよび当接面４６に当接するようにチップカード５が手で差込まれる。キャリッジ１６の読取り位置はチップカードの読取り位置に対応している。コンタクト部材２０は図１１にフレーム２を省略して示されている。コンタクト部材２０は、好ましくは二つの平行列状に延在し、各一列が四つのコンタクト部材からなっている。図１２に示すように、コンタクト部材２０は、一端に接触終端２０４を有し、これに傾斜部２０２が続き、さらにこれにコンタクト先端部２０３を含むコンタクト部が続いている。終端２０４はチップカードリーダ１から突出しており、チップカードーリーダ１が使用されるカスタマ回路基板に接続するようになっている。キャリッジ１６の縁部１６０は、コンタクト部材２０の傾斜部２０２の略中央に係合する。キャリッジ１６の各コンタクト部材２０の縁部１６０にはスロット１６１が形成されている。キャリッジ１６が読取り位置に移動すると、傾斜部２０２に係合している縁部１６０がコンタクト部材２０をレスト位置からコンタクト位置つまり読取り位置まで移動させる。このコンタクト位置または読取り位置において、接触先端部２０３は、チップカードの支持または当接面４４を超えて延在しチップカードコンタクト５０１（図１２）に接触する。
【００２８】
係合部材１９について
係合部材１９は、開口３６，４７を貫通して延びるカード当接部５４を有し、図２に示すようにステップ状になっている。カード当接部５４は、キャリッジ１６（図２参照）のカード当接面４６の凹部に嵌まるようになっており、カード当接部５４の有効当接面５４ａが、チップカード５の前端縁とのカード当接面４６に当接する。こうしてチップカード５は当接面４６およびカード当接部５４の有効当接面５４ａと当接する。
【００２９】
以上すべての図面がばね１８の弾力に抗してチップカード５が差込まれた結果、キャリッジ１６が読取り位置まで移動した状態を示している。係合部材１９は読取り位置、つまり読取り位置に対応する位置にある。実際、図示の位置では、係合部材１９は、係合部材１９の右端（図３）とフレーム固定部２０１とのあいだに延在しているばね５６の弾力に抗して移動されたものである。その結果、カード当接部５４はキャリッジ１６のカード当接面４６の凹部に嵌まっている。一方キャリッジ１６はフレーム２の当接面３９に当接している。
係合部材１９は、キャリッジ１６とロック手段２５間の係合、さらに機械的ロック解除手段２７とカード検知手段２８間の係合を行う。
【００３０】
以上説明したように、係合部材１９は、そのカード当接部５４がチップカードリーダ１の底面１２まで延びている。しかし、係合部材１９の大部分は上面１１にある。係合部材１９は、フレーム２に形成した長孔（図示せず）に沿ってチップカードリーダ１の長手軸方向に往復移動可能にフレーム２に取り付けられている。さらに、係合部材１９は、ばね５６によってチップカード５の差込み方向とは反対の方向にチップカードリーダ１内へ付勢されている。ばね５６は、一端がフレーム２の固定部２０１に固定されている。同様の固定部２０１がフレーム２上に設けられており、他のばねの端部を固定している。詳しくは、ばね５６の他端は、係合部材１９のアングル部５１（図４）に連結されている。係合部材１９のアーム部５２は、ロック手段（２５）の下方また電気ロック解除手段２６（図４参照）の下方まで延び、図４の左端に当接部材５３を形成している。この当接部材５３はフレーム２の左端（図１参照）の当接面４０１と当接するようになっている。当接部材５３の当接面４０１との当接は、図１に示すようにキャリッジ１６が読取り位置にある時に起こる。係合部材１９は、その右端（図４）にアングル部５１にロック面５７を形成し、このロック面５７はロック手段２５と協働する。係合部材１９の右端には、さらにロック面５７の近くに傾斜当接面５８が設けられている。
【００３１】
ロック手段２５について
図４に示すように、ロック手段２５は、二つのアームを持ちフレーム２に回動可能に取り付けられた回動レバー６０を有している。一方のアームはロックアーム６１であり、他方のアームはロック解除アーム６２である。回動レバー６０はばね６５（図３）によって図示のようにロック位置側へ付勢されている。ロック位置では、ロック面またはロック縁６３（図４）がロック面５７に係合しており、ばね５６の弾力で係合部材１９のスタート位置への移動が阻止されている。
【００３２】
電気ロック解除手段２６は釈放磁石６８を有し、この磁石６８は、励起されるとロック解除アーム６２に吸引力を与え回動レバー６０を反時計方向に回動させ、その結果ロック縁部６３から係合部材１９またはそのロック面５７を釈放させ、カード差込み方向と逆方向（ばね５６の収縮方向）に移動する。
【００３３】
機械的ロック解除手段２７について
機械的ロック解除手段２７は好ましくは単アームレバー７０を有し、このレバー７０は、釈放磁石６８の下でフレーム２に回動可能に取り付けられている。レバー７０のアングル部７１はインパクト部材を形成している。アングル部７１の最外端には、ガイド部７２が形成されており、このガイド部７２の近くにはカム面７５が設けられ係合部材１９と対面している。さらに、レバー７０には、ばね７４の固定ピン７３が形成されている。ばね７４は、図３に示すように、ばね固定ピン７３からフレームの他の固定部２０１まで延び、レバー７０をカム面７５と共に当接面５８側に付勢している。このように、カム面７５はばねに付勢されて当接面５８に当接している。
【００３４】
カード検知手段２８について
カード検知手段２８は、電気ロック解除手段を作動させる電源系に故障が生じた場合に、チップカードーリーダ１の作動状態を確保する目的で使用されている。カード検知手段２８は、チップカード５がチップカードリーダから手動で抜き出される際、チップカードリーダ１の構成部材がチップカードリーダ１を電源故障でも作動できることを確保する。このように、チップカードは何の問題もなく差込み、抜き出しを何度でも繰り返すことができる。
【００３５】
また、カード検知手段２８は、チップカード５の読取り位置からの、何時にチップカードが抜き出されるかを決定する。カード検知手段２８の検出位置または場所は、カードがチップカードリーダから半分だけ抜き出された時点で、カード検知手段２８が作動するような位置である。この実施例の場合、カード検知手段２８が作動すると、電気ロック解除手段２６ではなく機械的ロック解除手段２７が作動する。同時にキャリッジ１６の読取り位置からの移動も行われる。
【００３６】
図示の実施例では、カード検知手段２８は機械的ロック解除手段２７と一体に設けられており、特に機械的ロック解除手段２７のレバー７０と一体に設けられている。本発明によれば、検知ピン８０がばね固定ピン７３と反対方向に延び、上記開口３７を貫通してフレーム２の底面１２まで延びている。検知ピン８０は、カード５がチップカードリーダ１に差込まれた時ばね７４の弾力でカード５の横方向縁部に係合する。カード５がチップカードリーダ１から抜き出されると、レバー７０がばね７４の弾力で回動し、回動レバー６０の当接面６６上のインパクト部７１に十分な力で当接する。こうして、レバー６０が反時計方向に回動した結果、ロック面６３はロック面５７から離脱して、係合部材１９がばね５６の弾力でカード差し入れ方向と逆方向に移動される。この結果、カード当接部５４でロックされていたキャリッジ１６が釈放されてスタート位置まで移動し、カード５をもう一度読取り位置に差込むことができる。
【００３７】
電気検知手段２６には、カード位置センサ５０が備えられている。カード位置センサ５０（図２参照）がカード５が読取り位置に差込まれたことを示す信号を出し、またカード５が読取り位置から離脱した時ロック解除手段２６に別の信号を出してロック解除を開始する。
【００３８】
動作について
次に、本発明のチップカードリーダ１の動作を図７乃至図１０を参照して説明する。
チップカード５がチップカードリーダ１に差込まれていない時は、キャリッジ１６はフレーム２の当接面４０に当接している（図２参照）。これは、キャリッジばね１８がキャリッジ１６と一体の突出部１７に引張力を与えているためである。さらに、このとき係合部材１９はばね５６でカード５の差込方向と逆方向に付勢されている。したがって、係合部材１９はフレーム２の当接面に当接している。例えば、係合部材１９はフレーム２の当接面上の当接部材５３と当接できる。このことは、詳細な図示はないが、カード５が差込まれていない状態で係合部材１９がスタート位置にあることは事実であり、当業者には自明である。係合部材１９がスタート位置にある状態で、レバー７０は係合部材１９の当接面５８上のカム面７５に当接している。実際、レバー７０はばね７４で反時計方向に付勢されている。カード５の差込のないこのスタート位置では、回動レバー６０はばね６５によって係合部材１９の当接面５９に当接面６６で当接している。
【００３９】
図７乃至図１０において、チップカード５がチップカードリーダ１の使用者によって差込スロット４を通して差込まれる場合には、カード５はまず係合部材１９のカード当接部５４（図２参照）に当接する。さらにカード５の差し入れを続けると、係合部材１９が僅かな距離移動してキャリッジ１６も移動される。このように係合部材１９を僅かな距離移動すると、レバー７０も僅かに回動でき、カード検知ピン８０がカード５の横方向縁部に係合する。その結果、カード５の読取り位置内への移動が続くが、その際回動レバー６０のロック面６３が係合部材１９のロック面５７に係合し、キャリッジ１６はカード５と共に読取り位置にロックされる。
【００４０】
電源系に故障がない場合には、カード５が読取り位置から引き出されると、カード位置センサ５０が電気信号を出して釈放磁石６８を作動させる。こうして釈放磁石６８が励起されると、レバー６０が釈放磁石６８に引っ張られて、反時計方向に回動する。レバー６０が反時計方向に回動すると、係合部材１９、ロック解除手段２７、さらにキャリッジ１６など全ての関連部材がそれぞれの初期位置に戻る。
【００４１】
電源系に故障がある場合、カード５が読取り位置にあり、カード５が差込みスロット４から突出してさえいれば、カード５は手動で引き出せる。カード５がチップカードリーダ１から引き出される間、その横方向縁部はばね７４の弾力で検知ピン８０に当接し滑って移動する。その際、検知ピン８０がカード５の横方向縁部から離脱さえしなければ、レバー７０はばね７４の弾力でそのインパクト部７１で当接面６６に衝突し、回動レバー６０を回動させる。そのとき、回動レバー６０はロック面５７から離脱するように回動され、その結果、係合部材１９およびキャリッジ１６はそれぞれのスタート位置に戻ることができる。こうなると、ばね５６による係合部材１９の移動によってばね７４にテンションがかかる。
【図面の簡単な説明】
【図１】本発明に係るチップカードリーダの上面側斜視図。
【図２】図１に示したチップカードリーダの底面側斜視図。
【図３】図１のチップカードリーダの上面側斜視図であって、カード差込部を省略した図。
【図４】図１に示すロックおよびロック解除装置の構成部材の詳細図。
【図５】図２と同様な平面図であって、キャリッジを省略した図。
【図６】図２と同様な斜視図であって、係合部材を省略した図。
【図７】本発明のコンタクト装置の動作を説明するための概略図。
【図８】本発明のコンタクト装置の動作を説明するための概略図。
【図９】本発明のコンタクト装置の動作を説明するための概略図。
【図１０】本発明のコンタクト装置の動作を説明するための概略図。
【図１１】キャリッジの一部破断斜視図であって、コンタクト部材が読取り位置つまりチップカードのカードコンタクトとの係合位置にある状態を示す図。
【図１２】図１１を模型的に示す詳細図。
【符号の説明】
１    チップカードリーダ
２    フレーム
３    差込部
４    差込スロット
５    チップカード（スマートカード）
１６    キャリッジ
１９    係合部材
２５    ロック手段（ロック装置）
２６    電気ロック解除手段（ロック解除装置）
２７    機械的ロック解除手段
２８    カード検知手段（カード検知装置）
【図１】
0004422225.tif 000002
【図２】
0004422225.tif 000003
【図３】
0004422225.tif 000004
【図４】
0004422225.tif 000005
【図５】
0004422225.tif 000006
【図６】
0004422225.tif 000007
【図７】
0004422225.tif 000008
【図８】
0004422225.tif 000009
【図９】
0004422225.tif 000010
【図１０】
0004422225.tif 000011
【図１１】
0004422225.tif 000012
【図１２】
0004422225.tif 000013